(57)【要約】【課題】表面意匠の選択自由度を向上し得る開口枠材を提供する。【解決手段】上枠材２０とこの上枠材の長手方向両端部のそれぞれに接合される一対の縦枠材１０，１０とを備えた開口枠材１であって、前記上枠材及び前記一対の縦枠材の少なくとも施工された状態で露出する両見付面２６，１６及び見込面２８，１８は、表面仕上シート５，４の貼着が可能なように易貼着性の下地面とされており、前記上枠材と前記一対の縦枠材とが接合された状態で、これらの両見付面２６，１６における境界部に沿うように、前記表面仕上シートの端部５ａ，４ａが差し入れられる凹溝部２９が形成される構成とされている。【選択図】図１
2015224506.tif 000002
【特許請求の範囲】
【請求項１】
上枠材とこの上枠材の長手方向両端部のそれぞれに接合される一対の縦枠材とを備えた開口枠材であって、
前記上枠材及び前記一対の縦枠材の少なくとも施工された状態で露出する両見付面及び見込面は、表面仕上シートの貼着が可能なように易貼着性の下地面とされており、
前記上枠材と前記一対の縦枠材とが接合された状態で、これらの両見付面における境界部に沿うように、前記表面仕上シートの端部が差し入れられる凹溝部が形成されることを特徴とする開口枠材。
【請求項２】
請求項１において、
前記凹溝部に差し入れられた前記表面仕上シートの端部を押さえるように該凹溝部に挿入されるシート押さえ部材を備えていることを特徴とする開口枠材。
【請求項３】
請求項１または２において、
前記上枠材の各見付面と前記一対の縦枠材の各見付面とは、これら上枠材と一対の縦枠材とが接合された状態で、段差状となる構成とされていることを特徴とする開口枠材。
【発明の詳細な説明】
【技術分野】
【０００１】
本発明は、開口枠材に関する。
【背景技術】
【０００２】
従来より、表面に樹脂シート等の化粧シートが貼着された開口枠が知られている（例えば、下記特許文献１参照）。
【先行技術文献】
【特許文献】
【０００３】
【特許文献１】特開平８−１２８２８１号公報
【発明の概要】
【発明が解決しようとする課題】
【０００４】
しかしながら、上記のようなものでは、壁紙等の色柄の種類に比べて、一般的に色柄の種類が少なく、また、製造会社が壁紙等の他の内装材や内装設備等の製造会社と異なる場合等には、これらの表面意匠と色柄等を合わせ難くなるということも考えられる。また、発注後に表面の色柄等を変え難く、例えば、内装の仕上げ段階の際や部分リフォームの際等に、他の内装部位との調和性等を見たいような場合にも対応が困難であった。
【０００５】
本発明は、上記実情に鑑みてなされたものであり、表面意匠の選択自由度を向上し得る開口枠材を提供することを目的としている。
【課題を解決するための手段】
【０００６】
上記目的を達成するために、本発明に係る開口枠材は、上枠材とこの上枠材の長手方向両端部のそれぞれに接合される一対の縦枠材とを備えた開口枠材であって、前記上枠材及び前記一対の縦枠材の少なくとも施工された状態で露出する両見付面及び見込面は、表面仕上シートの貼着が可能なように易貼着性の下地面とされており、前記上枠材と前記一対の縦枠材とが接合された状態で、これらの両見付面における境界部に沿うように、前記表面仕上シートの端部が差し入れられる凹溝部が形成されることを特徴とする。
【発明の効果】
【０００７】
本発明に係る開口枠材は、上述のような構成としたことで、表面意匠の選択自由度を向上させることができる。
【図面の簡単な説明】
【０００８】
【図１】（ａ）、（ｂ）は、いずれも本発明の一実施形態に係る開口枠材の一例を模式的に示し、（ａ）は、図３（ａ）におけるＸ１−Ｘ１線矢視に対応させた一部破断概略横断面図、（ｂ）は、（ａ）に対応させた一部破断概略横断面図である。
【図２】（ａ）は、図３（ａ）におけるＸ２−Ｘ２線矢視に対応させた一部破断概略横断面図、（ｂ）は、（ａ）に対応させた一部破断概略横断面図である。
【図３】（ａ）は、同開口枠材の一部破断概略正面図、（ｂ）は、同開口枠材の一部破断概略斜視図である。
【図４】（ａ）、（ｂ）は、本発明の他の実施形態に係る開口枠材の一例を模式的に示し、図１（ｂ）に対応させた一部破断概略横断面図である。
【図５】（ａ）、（ｂ）は、本発明の更に他の実施形態に係る開口枠材の一例を模式的に示し、図１（ｂ）に対応させた一部破断概略横断面図である。
【発明を実施するための形態】
【０００９】
以下に本発明の実施の形態について、図面に基づいて説明する。
なお、一部の図では、他図に付している詳細な符号の一部を省略している。
また、図１、図２、図４及び図５の横断面図では、表面基材及び表面仕上シートの切断面の平行斜線（ハッチング）を省略している。
【００１０】
図１〜図３は、第１実施形態に係る開口枠材の一例を模式的に示す図である。
本実施形態に係る開口枠材１は、図３（ａ）に示すように、上枠材２０と、この上枠材２０の長手方向両端部のそれぞれに接合される一対の縦枠材１０，１０と、を備えている。また、上枠材２０及び一対の縦枠材１０，１０の少なくとも施工された状態で露出する両見付面２６，２６，１６，１６，１６，１６及び見込面２８，１８，１８は、表面仕上シート５，４の貼着が可能なように易貼着性の下地面とされている。また、開口枠材１は、上枠材２０と一対の縦枠材１０，１０とが接合された状態で、これらの両見付面２６，２６，１６，１６，１６，１６における境界部に沿うように、表面仕上シート５，４の端部５ａ，４ａが差し入れられる凹溝部２９が形成される構成とされている。
【００１１】
表面仕上シート４，５は、当該開口枠材１が工場出荷後に、例えば、住居等の建物等の施工現場や工務店等の施工現場外の貼着現場において、開口枠材１の下地面に貼着される。この表面仕上シート４，５としては、薄シート状（フィルム状）とされたもので貼着現場において貼着可能なものであればどのようなものでもよく、例えば、合成樹脂製シートや突板等の化粧シートや、樹脂クロスや紙クロス、布クロス等の壁紙等としてもよい。また、表面仕上シート４，５は、開口枠材１の下地面に接着剤等によって貼着されるものとしてもよく、裏面に粘着材及び剥離紙が設けられたものとしてもよい。
【００１２】
開口枠材１は、図２及び図３（ａ）に示すように、住居等の建物内の壁体６に設けられた開口部に設置され、壁体６によって間仕切られた一方側空間と他方側空間とを連通させる出入口７を区画する。また、開口枠材１が設置される開口部は、その天面が、上枠材２０が固定される上枠下地とされ、また、その開口幅方向両側の内側面が、縦枠材１０，１０が固定される縦枠下地とされている。
本実施形態では、開口枠材１を、下枠を備えていない、いわゆる三方枠としている。
また、本実施形態では、開口枠材１を、図示省略の建具が建て付けられる建具枠材としている。図例では、開口枠材１を、戸当たり部材３が取り付けられる構成としている。つまり、当該開口枠材１の一方の縦枠材１０に、蝶番等の回動連結部材を介して建具としての開き戸が連結され、建て付けられる構成とされている。
【００１３】
また、本実施形態では、図１に示すように、一対の縦枠材１０，１０の各見付面１６，１６，１６，１６と上枠材２０の各見付面２６，２６とを、これら上枠材２０と一対の縦枠材１０，１０とが接合された状態で、段差状となる構成としている。つまり、一対の縦枠材１０，１０の壁厚方向一方側に向く見付面１６，１６と上枠材２０の壁厚方向一方側に向く見付面２６とが段差状となる構成としている。また、一対の縦枠材１０，１０の壁厚方向他方側に向く見付面１６，１６と上枠材２０の壁厚方向他方側に向く見付面２６とが段差状となる構成としている。
また、本実施形態では、一対の縦枠材１０，１０の見付面１６，１６，１６，１６が上枠材２０の見付面２６，２６よりも壁厚方向（見込方向）外側に位置するように接合される構成としている。つまり、一対の縦枠材１０，１０の壁厚方向に沿う寸法（見込寸法）を、上枠材２０の見込寸法よりも大きい寸法としている。
【００１４】
また、本実施形態では、開口枠材１を、上枠材２０の長手方向の各端面に、一対の縦枠材１０，１０の上端部の互いに向き合う見込面（間口方向中央側に向く面）１８，１８をそれぞれ突き合わせ、接合される構成としている。つまり、一対の縦枠材１０，１０と上枠材２０とは、縦勝ち状に接合される構成とされている。これら一対の縦枠材１０，１０の上端部及び上枠材２０の長手方向両端部とは、釘やねじ等の止具によって接合されるものとしてもよい。また、これら一対の縦枠材１０，１０の上端部及び上枠材２０の長手方向両端部に、これらが接合される際に用いられるダボ等の接合補助部を設けた構成としてもよい。
【００１５】
また、本実施形態では、図３（ａ）に示すように、これら縦枠材１０と上枠材２０とが接合された状態で、これらの境界部に沿うように形成される凹溝部２９を、縦枠材１０の長手方向に延びるように形成される構成としている。
つまりは、開口枠材１の見込方向両側における上枠材２０の長手方向両側と一対の縦枠材１０，１０との境界部に沿うように、それぞれに同様の構成とされた４つの凹溝部２９が形成される構成としている。
この凹溝部２９は、図１及び図２に示すように、見込方向外方側に向けて開口するように形成される構成とされている。また、凹溝部２９は、接合された状態における開口枠材１の上側面及び入隅下側面において開口し上下に貫通するように形成される構成とされている。また、この凹溝部２９は、間口方向に向く溝幅方向両側の内側壁１８ａ，２７と見込方向外方側に向く溝底面とによって区画され、略矩形溝形状とされている。
【００１６】
この凹溝部２９の溝幅寸法（間口方向に沿う寸法）や溝深さ寸法（見込方向に沿う寸法）は、表面仕上シート４，５の厚さに応じて、また、表面仕上シート４，５の各端部４ａ，５ａの差込性や抜けを抑制する観点等から適宜、設定するようにしてもよい。例えば、凹溝部２９の溝幅寸法を、２ｍｍ〜１０ｍｍ程度としてもよく、好ましくは３ｍｍ〜５ｍｍ程度としてもよい。また、この凹溝部２９の溝深さ寸法を、例えば、３ｍｍ〜１５ｍｍ程度としてもよく、好ましくは５ｍｍ〜１０ｍｍ程度としてもよい。
また、本実施形態では、図１に示すように、凹溝部２９の溝幅方向両側の内側壁１８ａ，２７を、表面仕上シート４，５の貼着が可能な易貼着性の下地面としている。また、図２及び図３（ａ）に示すように、凹溝部２９の両側の内側壁１８ａ，２７のうちの間口方向中央側に向く一方の内側壁１８ａを、縦枠材１０の間口方向中央側に向く見込面１８と同一平面状としている。
【００１７】
また、本実施形態では、一対の縦枠材１０，１０及び上枠材２０を、芯材１１，１１，２１に下地面を構成する表面基材１３，１３，２３を貼着した構成としている。
一対の縦枠材１０，１０は、本実施形態では、図１及び図２に示すように、見込方向両端部が両壁面から突出するように配される固定枠とされている。
また、本実施形態では、これら縦枠材１０，１０の見込方向両端部の出入口７側の縁部に、面取部１６ａ，１６ａ，１６ａ，１６ａを設けている。図例では、これら面取部１６ａ，１６ａ，１６ａ，１６ａを、平坦傾斜面形状（Ｃ面取り形状）とした例を示しているが、突湾曲面形状（Ｒ面取り形状）としてもよい。
また、本実施形態では、これら縦枠材１０，１０の少なくとも両壁面から突出するいわゆるちり部の間口方向外方側に向く両側のちり外側面１７，１７，１７，１７を、表面仕上シート４の貼着が可能な易貼着性の下地面としている。
【００１８】
これら縦枠材１０，１０は、互いに同様の構成とされているので、以下では、一方の縦枠材１０を例にとって説明する。
縦枠材１０は、面取部１６ａ，１６ａを含む両見付面１６，１６、両ちり外側面１７，１７及び凹溝部２９の内側壁１８ａを含む見込面１８が概ね一連状の下地面とされている。図例では、縦枠材１０の見込面１８に戸当たり部材３が取り付けられる取付溝２を設けた構成とし、取付溝２によって下地面としての見込面１８が見込方向に分断された構成としている。この取付溝２は、見込面１８において開口し全長に亘って延びるように設けられている。戸当たり部材３は、図２に示すように、取付溝２に嵌め込まれる嵌合凸部を有した構成とされ、図３に示すように、接合された開口枠材１の見込面１８，１８，２８に沿うように取り付けられる。なお、戸当たり部材３における少なくとも各枠材１０，１０，２０に取り付けられた状態で露出する表面を、表面仕上シートの貼着が可能な易貼着性の下地面としてもよい。
【００１９】
表面基材１３は、面取部１６ａ，１６ａを含む両見付面１６，１６、両ちり外側面１７，１７及び凹溝部２９の内側壁１８ａを含む見込面１８が概ね一連状の下地面となるように、芯材１１に概ね一連状に貼着されている。図例では、芯材１１の取付溝２の部位及び間口方向外方側に向く面の見込方向中央側部位を除いた部位に一連状に表面基材１３を貼着した例を示している。また、図例では、芯材１１の間口方向外方側面の見込方向両側部位に、表面基材１３を受け入れる凹段部を設けた構成としている。
この表面基材１３は、取付溝２を隔てるように芯材１１の見込方向両側部位のそれぞれに個別に貼着されたものでもよい。または、取付溝２が設けられる部位を含んで芯材１１に一連状に表面基材１３を貼着した後に、芯材１１を含めて表面基材１３を切除等して取付溝２を設けた構成としてもよい。
【００２０】
また、表面基材１３は、薄板状の木質系基材１４の表面に、下地面を構成する下地シート１５をそれぞれに貼着した構成とされ、かつ裏面側に芯材１１の四周の角部（本実施形態では、面取部の角部を含む角部）に応じた折曲溝を設けた構成とされている。表面基材１３は、折曲溝の部位において残存する少なくとも下地シート１５の部位がヒンジ部（折曲部）のように機能し、これらの部位において折り曲げ可能とされている。
なお、表面基材１３の折曲溝自体を、これらの部位において折り曲げられて形成された縦枠材１０の角部の全てまたはいずれかが上記のような面取り形状となるように表面基材１３の裏面側に設けた構成としてもよい。
また、表面基材１３は、芯材１１に適宜の接着剤等によって貼着するようにしてもよい。
【００２１】
上枠材２０は、縦枠材１０と同様、見込方向両端部が両壁面から突出するように配される固定枠とされている。図例では、この上枠材２０の見込寸法を、縦枠材１０の見込方向両側の面取部１６ａ，１６ａの出入口７側縁部間の見込方向に沿う寸法と略同寸法とした例を示している（図２参照）。
なお、この上枠材２０の見込方向両端部の出入口７側の縁部に、上記同様、面取部を設けた構成としてもよい。
また、上枠材２０の少なくとも両壁面から突出するいわゆるちり部の上側面を、表面仕上シート５の貼着が可能な易貼着性の下地面としてもよい。
【００２２】
また、上枠材２０は、両見付面２６，２６、長手方向両側の凹溝部２９，２９の内側壁２７，２７及び下方側に向く見込面２８が概ね一連状の下地面とされている。この上枠材２０の見込面２８にも、上記同様、戸当たり部材３が取り付けられる取付溝が全長に亘って設けられており、この取付溝によって下地面としての見込面２８が見込方向に分断されている（図３（ａ）参照）。
上枠材２０の表面基材２３は、両見付面２６，２６、長手方向両側の凹溝部２９，２９の内側壁２７，２７及び下方側に向く見込面２８が概ね一連状の下地面となるように、芯材２１に一連状に貼着されている。この表面基材２３は、上記同様、取付溝を隔てるように芯材２１の見込方向両側部位のそれぞれに個別に貼着されたものでもよい。または、取付溝が設けられる部位を含んで芯材２１に一連状に表面基材２３を貼着した後に、芯材２１を含めて表面基材２３を切除等して取付溝を設けた構成としてもよい。
【００２３】
また、本実施形態では、芯材２１の長手方向両端部に長手方向外方側に向けて突出するように凸部２２，２２を設け、これら凸部２２，２２の先端側を露出させるように、表面基材２３を貼着した構成としている。また、これら凸部２２，２２が凹溝部２９の溝底面を構成している。なお、このような態様に代えて、凹溝部２９の溝底面が下地面となるように表面基材２３を貼着した態様としてもよい。
また、表面基材２３は、上記同様、薄板状の木質系基材２４の表面に、下地面を構成する下地シート２５を貼着した構成とされている。また、表面基材２３は、上記と概ね同様、裏面側に芯材２１の長手方向両側の凹溝部を構成する両角部及び見込方向両側の下側角部に応じた折曲溝を設けた構成とされている。
【００２４】
なお、各枠材１０，２０の芯材１１，２１は、木質系材料から形成されたものとしてもよい。木質系材料としては、合板やＬＶＬ（単板積層材）等の木質積層板、パーティクルボード等の木質ボード、インシュレーションボードやＭＤＦ（中密度繊維板）等の木質繊維板などとしてもよい。または、これら芯材１１，２１を、合成樹脂系材料に、木粉や無機フィラー、相溶化剤、着色剤などを所定の含有割合で含有させた木粉・プラスチック複合材（ＷＰＣ）から形成されたものとしてもよい。
【００２５】
また、各枠材１０，２０の表面基材１３，２３の裏面側層を構成する木質系基材１４，２４としては、上記同様の木質系材料から形成されたものとしてもよい。この木質系基材１４，２４は、例えば、１．０ｍｍ〜５．０ｍｍ程度の厚さ寸法とされたものとしてもよい。
また、表面基材１３，２３の表面側層を構成する下地シート１５，２５としては、その表面が、表面仕上シート４，５の貼着が可能で剥離し難いような易貼着性の表面物性（貼着手段による十分な貼着強度が得られる物性）を有したものとしてもよい。このような下地シート１５，２５としては、紙材や、紙材に貼着手段としての接着剤との親和性のある樹脂を含浸させたシート、貼着手段としての接着剤との親和性のある樹脂シート等としてもよい。また、下地シート１５，２５の表面が易貼着性の下地面となるように適宜の表面処理（表面研磨や、プライマー塗布、各種放電処理、光オゾン処理等）が施されたものとしてもよい。また、下地シート１５，２５は、例えば、５０μｍ〜１．０ｍｍ程度の厚さ寸法とされたものとしてもよい。
【００２６】
また、表面基材１３，２３としては、木質系基材１４，２４と下地面を構成する下地シート１５，２５とからなる二層構造とされたものに限られず、木質系基材１４，２４の裏面側や木質系基材１４，２４と下地シート１５，２５との間に他のシート材等を更に積層した構造とされたものとしてもよい。
また、当該開口枠材１の下地面１６，１７，１８，１８ａ，２６，２７，２８の色柄は、表面仕上シート４，５の表面意匠への影響がないように、白色や淡い色等としてもよく、また、単色や無地等としてもよい。
また、当該開口枠材１の下地面１６，１７，１８，１８ａ，２６，２７，２８に、表面仕上シート４，５を貼着する際に表面仕上シート４，５との間に入り込む空気を排出するための複数の溝を設けた構成としてもよい。
また、当該開口枠材１が、建具枠を構成する場合には、建具の種類や建て付け態様等に応じて、適宜、レールが嵌め入れられるレール溝や、蝶番等の回動連結部材の取付凹所、ラッチ受や錠装置等を取り付けるための収納凹所や加工孔等を適宜、設けておくようにしてもよい。
また、当該開口枠材１の下地面１６，１７，１８，１８ａ，２６，２７，２８を全面に亘って覆うように、剥離可能な剥離シート等の保護シートを貼着した構成としてもよい。
【００２７】
上記構成とされた開口枠材１に表面仕上シート４，５を貼着し、開口枠材１を表面仕上済開口枠９とする際には、例えば、以下のようにしてもよい。
図例では、開口枠材１を開口部に設置した状態で露出する下地面１６，１７，１８，１８ａ，２６，２７，２８に表面仕上シート４，５を貼着した例を示している。また、図例では、各枠材１０，２０の取付溝２によって分断された見込方向両側の下地面のそれぞれに一枚の表面仕上シート４，４，４，４，５，５を一連状に貼着した例を示している。
【００２８】
縦枠材１０には、例えば、見込方向一方側のちり外側面１７側の壁面に、縦枠表面仕上シート４を突き合わせ、そのちり外側面１７、見込方向一方側の見付面１６及び面取部１６ａに縦枠表面仕上シート４を貼着する。そして、縦枠表面仕上シート４の上端部を除いた見込面覆い部４ｂの端部を、戸当たり部材３に突き合わせるように見込面１８に貼着し、縦枠表面仕上シート４の上端部の差し込まれる端部４ａを、凹溝部２９に差し込み、貼着するようにしてもよい。また、縦枠材１０の見込方向他方側にも同様にして縦枠表面仕上シート４を貼着するようにしてもよい。
また、上枠材２０の見込方向一方側には、見込方向一方側の見付面２６に上枠表面仕上シート５を貼着し、また、戸当たり部材３に突き合わせるように見込面２８に上枠表面仕上シート５を貼着する。また、この上枠表面仕上シート５の見付面２６に貼着された部位の長手方向両端部５ａ，５ａを、上枠材２０の長手方向両側の凹溝部２９，２９にそれぞれ差し込み、貼着するようにしてもよい。また、上枠材２０の見込方向他方側にも同様にして上枠表面仕上シート５を貼着するようにしてもよい。
【００２９】
なお、これら表面仕上シート４，５は、各枠材１０，２０の下地面１６，１７，１８，１８ａ，２６，２７，２８に貼着可能なように、適宜の寸法とされたものとしてもよい。また、各表面仕上シート４，５の凹溝部２９に差し込まれる端部４ａ，５ａに余長部位を設け、その余長部位をへら等によって凹溝部２９に押し込むように差し込み、凹溝部２９内においてカッター等によって切断する態様としてもよい。
また、戸当たり部材３を取り付ける前に表面仕上シート４，５を貼着する場合には、表面仕上シート４，５の各枠材の見込面を覆う部位の端部を、取付溝の溝縁に合わせるように貼着するような態様としてもよい。この場合は、表面仕上シート４，５の取付溝側の端部を、戸当たり部材３によって押えるように納める態様としてもよい。
また、これら表面仕上シート４，５は、適宜の接着剤によって各枠材１０，２０の下地面１６，１７，１８，１８ａ，２６，２７，２８に貼着するようにしてもよい。または、表面仕上シート４，５の裏面に剥離紙や粘着材が設けられている場合には、剥離紙を剥がして貼着するようにしてもよい。
【００３０】
また、このような表面仕上工程は、住居等の建物等の施工現場において開口枠材１を設置後に行うようにしてもよく、または、設置前に行う場合には、工務店等の施工現場外において行うようにしてもよい。
また、表面仕上済開口枠９が建具枠を構成し、開口枠材１に上記のような取付凹所や収納凹所、加工孔等が設けられている場合には、表面仕上シート４を貼着した後に、当該部位に貼着された表面仕上シート４を切除等するようにしてもよい。
また、上記した各表面仕上シート４，５の貼着態様は、一例に過ぎず、種々の貼着態様の採用が可能である。例えば、縦枠材１０の見込方向両側のそれぞれに一枚の縦枠表面仕上シート４，４を一連状に貼着した態様に代えて、複数枚の表面仕上シートを貼着した態様等としてもよい。例えば、縦枠材１０の見込面１８に一連状に表面仕上シートの貼着が可能な場合には、縦枠材１０の上端部を除いた部位に一枚の表面仕上シートを一連状に貼着し、その上端部には、見込方向両側のそれぞれに表面仕上シートを貼着するような態様等としてもよい。
【００３１】
本実施形態に係る開口枠材１は、上述のような構成としたことで、表面意匠の選択自由度を向上させることができる。
つまり、一対の縦枠材１０，１０及び上枠材２０の少なくとも施工された状態で露出する両見付面１６，１６，１６，１６，２６，２６及び見込面１８，１８，２８を、表面仕上シート４，５の貼着が可能なように易貼着性の下地面としている。従って、他の内装材や内装設備等の表面意匠と色柄等を合わせた表面仕上シート４，５を選択したり、内装の仕上げ段階の際や部分リフォームの際等に、他の内装部位との調和性を見るなどして表面仕上シート４，５を選択したりすることができる。そして、その選択した表面仕上シート４，５を、各枠材１０，１０，２０の下地面に容易に貼着することができ、表面意匠の選択自由度を向上させることができる。
【００３２】
また、一対の縦枠材１０，１０と上枠材２０が接合された状態で、これらの両見付面１６，１６，１６，１６，２６，２６における境界部に沿うように、表面仕上シート４，５の端部４ａ，５ａが差し入れられる凹溝部２９が形成される構成としている。従って、各枠材１０，１０，２０の両見付面１６，１６，１６，１６，２６，２６のそれぞれに貼着された表面仕上シート４，５の端部４ａ，５ａを凹溝部２９に差し入れて納めることができる。これにより、縦枠材１０と上枠材２０との境界部において表面仕上シート４，５の端部４ａ，５ａ同士を突き合わせたり、重ね合わせたりして納める態様とした場合と比べて、表面仕上シート４，５の剥離を抑制することができる。また、表面仕上シート４，５の端部４ａ，５ａを凹溝部２９に差し入れて納めることができるので、表面仕上シート４，５の加工誤差等を吸収することができる。また、各枠材１０，１０，２０を施工後に表面仕上シート４，５を貼着する態様とした場合にも、境界部における剥離を抑制することができる。これにより、例えば、施工前に各枠材１０，１０，２０の各下地面に一連状に表面仕上シートを貼着する態様と比べて、施工時における表面仕上シートの傷付き等を抑制することができる。換言すれば、本実施形態によれば、各枠材１０，１０，２０の施工後に表面仕上シート４，５の貼着が可能でありながらも、境界部における表面仕上シート４，５の剥離を抑制することができる。
【００３３】
また、本実施形態では、凹溝部２９の溝幅方向両側の内側壁１８ａ，２７を、表面仕上シート４，５の貼着が可能な易貼着性の下地面としている。従って、凹溝部２９の溝幅方向両側の内側壁１８ａ，２７に表面仕上シート４，５の端部４ａ，５ａを貼着することもできる。これによれば、表面仕上シート４，５の剥離をより効果的に抑制することができる。
【００３４】
また、本実施形態では、一対の縦枠材１０，１０の各見付面１６，１６，１６，１６と上枠材２０の各見付面２６，２６とを、これら一対の縦枠材１０，１０と上枠材２０とが接合された状態で、段差状となる構成としている。従って、見込方向両側の出入口７側縁部に面取部１６ａ，１６ａが設けられ、上枠材２０よりも見込寸法が大きい寸法とされた縦枠材１０，１０と上枠材２０とを縦勝ち状に見栄え良く接合することができる。また、このように枠材１０，１０，２０同士の見付面１６，２６に段差が設けられた場合には、特に、境界部において表面仕上シート４，５の貼着がし難くなったり、表面仕上シート４，５の端部が剥がれ易くなったりすることが考えられる。本実施形態によれば、上述のように、境界部の凹溝部２９に表面仕上シート４，５の端部４ａ，５ａを差し入れて納めることができるので、このようなことを抑制することができる。
【００３５】
次に、本発明に係る他の実施形態について、図面を参照しながら説明する。
図４は、第２実施形態に係る開口枠材の一例を模式的に示す図である。
なお、上記第１実施形態との相違点について主に説明し、同様の構成については、同一の符号を付し、その説明を省略または簡略に説明する。
【００３６】
本実施形態に係る開口枠材１Ａは、図４に示すように、凹溝部２９Ａに差し入れられた表面仕上シート４，５の端部４ａ，５ａを押さえるように凹溝部２９Ａに挿入されるシート押さえ部材３０を備えた構成が、上記第１実施形態とは主に異なる。
また、本実施形態では、凹溝部２９Ａの溝幅寸法を、シート押さえ部材３０の挿入が可能なように、上記第１実施形態よりも大きい寸法としている。図例では、上枠材２０Ａの芯材２１Ａの凸部２２Ａ，２２Ａの突出寸法を上記第１実施形態よりも大きくし、凹溝部２９Ａの溝幅寸法を、上記第１実施形態よりも大きい寸法とした例を示している。この凹溝部２９Ａの溝幅寸法は、シート押さえ部材３０の溝幅方向に沿う寸法に応じて適宜の寸法としてもよく、５ｍｍ〜２０ｍｍ程度としてもよく、好ましくは１０ｍｍ〜１５ｍｍ程度としてもよい。
【００３７】
シート押さえ部材３０は、凹溝部２９Ａの長手方向に沿って長尺な棒状とされている。また、本実施形態では、このシート押さえ部材３０を、凹溝部２９Ａ内に全体が収容される形状としている。
このシート押さえ部材３０の見込方向に沿う寸法は、凹溝部２９Ａの溝深さ寸法に応じた寸法としてもよく、凹溝部２９Ａの溝深さ寸法よりも小さい寸法としてもよい。図例では、シート押さえ部材３０の見込方向に沿う寸法を、凹溝部２９Ａに挿入された状態で、その表面が上枠材２０Ａの見付面２６に貼着された表面仕上シート５の表面と略同一平面状となるような寸法とした例を示している。
また、このシート押さえ部材３０の間口方向に沿う寸法は、表面仕上シート４，５の端部４ａ，５ａが差し入れられた状態における凹溝部２９Ａに挿入可能で、かつこれら端部４ａ，５ａを凹溝部２９Ａの溝幅方向両側の内側壁１８ａ，２７に押圧可能なように適宜の寸法としてもよい。
また、このシート押さえ部材３０は、凹溝部２９Ａの全長に亘って設けられるものとしてもよい。
【００３８】
なお、図例では、シート押さえ部材３０を、中実の角柱棒状とした例を示しているが、中空筒状としたり、凹溝部２９Ａの溝底側に向くように開口した略Ｕ字溝形状（略Ｃ字溝形状、略コ字溝形状）としたりしてもよい。また、シート押さえ部材３０の間口方向に沿う方向の両外側面に、間口方向に沿う方向に突出する凸部をそれぞれに設けてもよい。
また、このシート押さえ部材３０は、表面仕上シート４，５の端部４ａ，５ａが差し入れられた状態における凹溝部２９Ａに挿入するのみで、その弾性復元力や摩擦力等によって凹溝部２９Ａ内に保持されるものとしてもよい。または、シート押さえ部材３０を、接着剤等によって凹溝部２９Ａ内に固定するようにしてよい。
また、シート押さえ部材３０は、上記したＷＰＣや、硬質の合成樹脂系材料、金属系材料等から形成されたものとしてもよい。
【００３９】
上記構成とされた開口枠材１Ａにも、上記第１実施形態と概ね同様にして表面仕上シート４，５の貼着が可能である。また、凹溝部２９Ａに差し入れられた表面仕上シート４，５の端部４ａ，５ａを押さえるようにシート押さえ部材３０を凹溝部２９Ａに挿入し、表面仕上済開口枠９Ａとしてもよい。
本実施形態に係る開口枠材１Ａにおいても、上記した第１実施形態と略同様の効果を奏する。
また、本実施形態では、凹溝部２９Ａに差し入れられた表面仕上シート４，５の端部４ａ，５ａを押さえるように凹溝部２９Ａに挿入されるシート押さえ部材３０を備えた構成としている。従って、シート押さえ部材３０によって、表面仕上シート４，５の端部４ａ，５ａが復元力等によって凹溝部２９Ａから出てしまうようなことを防止することができ、表面仕上シート４，５の剥離をより効果的に抑制することができる。
【００４０】
次に、本発明に係る更に他の実施形態について、図面を参照しながら説明する。
図５は、第３実施形態に係る開口枠材の一例を模式的に示す図である。
なお、上記第２実施形態との相違点について主に説明し、同様の構成については、同一の符号を付し、その説明を省略または簡略に説明する。
【００４１】
本実施形態に係る開口枠材１Ｂは、図５に示すように、凹溝部２９Ｂの溝底面を、縦枠材１０Ａ側と上枠材２０Ｂ側とに跨るように設けた構成が、上記第２実施形態とは主に異なる。
本実施形態では、上記と概ね同様に上枠材２０Ｂの長手方向両端部に設けられた凸部２２Ｂ，２２Ｂに対向するように、一対の縦枠材１０Ａ，１０Ａの間口方向内方側に凸部１２，１２を設けた構成としている。また、これら縦枠材１０Ａの凸部１２と上枠材２０Ｂの凸部２２Ｂとによって凹溝部２９Ｂの溝底面を構成している。また、この凸部１２は、縦枠材１０Ａの全長に亘って設けられている。図例では、見込面となる凸部１２の先端面１８Ａ及び凸部１２の見込方向両側面が、凸部１２の見込方向両側の凹溝部２９Ｂの内側壁１８ａ，１８ａから概ね一連状の下地面となるように、芯材１１Ａに表面基材１３Ａを貼着した構成とした例を示している。
【００４２】
上記構成とされた開口枠材１Ｂにも、上記第１実施形態と概ね同様にして表面仕上シート４，５の貼着が可能である。また、上記第２実施形態と同様、凹溝部２９Ｂに差し入れられた表面仕上シート４，５の端部４ａ，５ａを押さえるようにシート押さえ部材３０を凹溝部２９Ｂに挿入し、表面仕上済開口枠９Ｂとしてもよい。
本実施形態に係る開口枠材１Ｂにおいても、上記した第２実施形態と略同様の効果を奏する。
【００４３】
なお、上記各実施形態に係る開口枠材１，１Ａ，１Ｂを、建具枠とした場合には、これに建て付けられる建具の表面を、上記同様な表面仕上シートの貼着が可能な易貼着性の下地面としてもよい。このような建具としては、一対の縦框部と一対の横框部とを有した四方框部内に鏡板部が設けられた框状パネル材としてもよい。この場合は、パネル厚さ方向両面における一対の縦框部と一対の横框部との境界部に沿うように、表面仕上シートの端部が差し入れられる上記同様の凹溝部を設けた構成としてもよい。
また、上記各実施形態では、凹溝部２９，２９Ａ，２９Ｂの溝幅方向両側の内側壁１８ａ，２７を下地面とした例を示しているが、これらを下地面としないようにしてもよい。
また、上記各実施形態では、一対の縦枠材１０，１０Ａの各見付面１６，１６，１６，１６と上枠材２０，２０Ａ，２０Ｂの各見付面２６，２６とを段差状とした例を示しているが、これらを略同一平面状としてもよい。
【００４４】
また、上記各実施形態では、開口枠材１，１Ａ，１Ｂを、縦勝ち状に接合される構成とした例を示しているが、横勝ち状に接合される構成としてもよい。つまり、接合された状態で間口方向に延びる凹溝部２９，２９Ａ，２９Ｂが形成される構成とされたものとしてもよい。
また、各枠材１０，１０Ａ，２０，２０Ａ，２０Ｂを、芯材に表面基材を貼着した態様とせずに、中実の板状部材から構成されたものとしてもよい。この場合は、上記した各面が下地面となるように、適宜の表面処理を施すようにしてもよい。
【００４５】
また、上記した例では、開口枠材１，１Ａ，１Ｂを、下枠を備えていない三方枠とした例を示しているが、下枠を備えた四方枠としてもよい。この場合は、下枠材と一対の縦枠材との境界部にも上記同様な凹溝部が形成される構成としてもよい。
また、開口枠材１，１Ａ，１Ｂの形状等は、上記した例に限られず、建て付けられる建具の種類や、建具の納め態様等に応じて、種々の変形が可能である。例えば、縦枠材１０，１０Ａの見込面１８，１８Ａに、戸当たり部材３の取付溝２に代えて、戸じゃくり溝を設けたような態様としたり、さらには、見込面１８，１８Ａを、溝のない平坦面としてもよい。また、開口枠材１，１Ａ，１Ｂに建て付けられる建具としては、開き戸に限られず、引戸や折戸等としてもよい。また、例えば、開口枠材１，１Ａ，１Ｂを、袖壁納めや戸袋納めで引戸を納める建具枠とする場合には、適宜、戸尻側の縦枠材や上枠材の戸尻側部位の見込寸法を小さくしたり、一対の縦枠材間に中間縦枠材（中方立材）を更に設けた態様としたりしてもよい。この場合は、中間縦枠材と上枠材との境界部にも上記同様な凹溝部が形成される構成としてもよい。さらには、開口枠材１，１Ａ，１Ｂは、建具が建て付けられる建具枠材に限られず、このような建具が建て付けられない無目枠状の枠材を構成するものとしてもよい。
【符号の説明】
【００４６】
１，１Ａ，１Ｂ        開口枠材
１０，１０Ａ          縦枠材
１６                  見付面
１８                  見込面
２０，２０Ａ，２０Ｂ  上枠材
２６                  見付面
２８                  見込面
２９，２９Ａ，２９Ｂ  凹溝部
３０                  シート押さえ部材
４                    縦枠表面仕上シート（表面仕上シート）
４ａ                  端部
５                    上枠表面仕上シート（表面仕上シート）
５ａ                  端部
【図１】
2015224506.tif 000003
【図２】
2015224506.tif 000004
【図３】
2015224506.tif 000005
【図４】
2015224506.tif 000006
【図５】
2015224506.tif 000007